(57)【要約】【課題】広告用チラシ、パンフレット、フリ−ペーパー、冊子等の陳列物の陳列用だけではなく、ゴミ箱としても利用でき、スペースの有効活用が図れると共に、強風時や物がぶつかった時にも簡単に倒れず安定性の良い陳列用ラック装置を提供することを課題とする。【解決手段】陳列物Ｃを収容する上下複数段の収容部２が設けられた陳列用ラック本体１の下部にボックス３を設け、そのボックス３にゴミ投入口４を設けることによりボックス内部をゴミ収容スペース５とし、陳列用ラック本体１の上部に屋根状体６、両側面に遮蔽板７を設けた。【選択図】図１
2008104504.tif 000002
【特許請求の範囲】
【請求項１】
陳列物を収容する上下複数段の収容部が設けられた陳列用ラック本体の下部にボックスを設け、そのボックスにゴミ投入口を設けることによりそのボックス内部をゴミ収容スペースとして成ることを特徴とする陳列用ラック装置。
【請求項２】
前記陳列用ラック本体の上部には屋根状体が設けられていることを特徴とする請求項１記載の陳列用ラック装置。
【請求項３】
前記屋根状体の上面は背面側に向け下向き傾斜していることを特徴とする請求項２記載の陳列用ラック装置。
【請求項４】
前記屋根状体はシートで形成されており、着脱できるよう構成されていることを特徴とする請求項２または３記載の陳列用ラック装置。
【請求項５】
前記陳列用ラック本体の両側面は遮蔽板で被覆されていることを特徴とする請求項２乃至４のいずれかに記載の陳列用ラック装置。
【請求項６】
前記遮蔽板のうち、少なくとも一方の遮蔽板の、少なくとも一部は透明であることを特徴とする請求項５記載の陳列用ラック装置。
【請求項７】
前記陳列用ラック本体の収容部には、左右に対になった位置決め材が左右にスライド自在に設けられていることを特徴とする請求項１乃至６のいずれかに記載の陳列用ラック装置。
【請求項８】
前記陳列用ラック本体の両側面には、係止具が取り付けられていることを特徴とする請求項１乃至７のいずれかに記載の陳列用ラック装置。
【請求項９】
前記ボックスは上面が開口した箱体であって、その内側面上部にゴミ袋係止部が設けられていると共に、前記箱体は正面側に向けスライド自在に構成されていることを特徴とする請求項１乃至８のいずれかに記載の陳列用ラック装置。
【請求項１０】
自動販売機の近傍に設置されていることを特徴とする請求項１乃至９のいずれかに記載の陳列用ラック装置。
【発明の詳細な説明】
【技術分野】
【０００１】
本発明は、広告用チラシ、パンフレット、フリ−ペーパー、冊子等の陳列物を並べるために街頭や鉄道の駅やビルの入り口等に設置される陳列用ラック装置に関する。
【背景技術】
【０００２】
従来から広告用チラシ、パンフレット、フリ−ペーパー、冊子等の陳列物を並べた陳列用のラックは、街頭や鉄道の駅或いは商業ビルの入り口付近等でよく見かけられた。これらの陳列用ラックには特許文献１、２に示されたようなラックがある。しかしながら、これら陳列用のラックは、単に前記したような陳列物を並べるだけの単一の機能しかなく、しかも風や雨に対する対策は殆ど講じられていないのが現状であった。
【０００３】
即ち、これら従来のラックは、金属管や針金或いは金属板等でできた上下に長くて軽い安定性の悪いスタンド状のものが殆どであり、何かに固定していなければ強風時や物がぶつかった時に簡単に倒れてしまうという問題があった。また、目に付きやすく且つ腰を屈めずに簡単に取り出せる陳列物は比較的上段に入れられた陳列物であるため、下段に陳列物を入れずに上段に陳列物が集中してしまうことがよくあり、重心がラック単体の場合より高くなってしまうことで余計にラックが不安定になってしまうという問題もあった。更には、ラックを屋外に設置した場合、雨除けの機能は全くなく、並べられた広告用チラシ、パンフレット、フリ−ペーパー、冊子等の陳列物を雨から保護するためには、必ずそれら陳列物をビニール袋で包まなければならないという問題もあった。
【０００４】
一方、前記陳列用のラックと同様に、街頭や鉄道の駅やビルの入り口等に設置される缶ジュースやペットボトル、或いはその他商品の自動販売機の横には、ゴミ箱が設置されているが、そのゴミ箱も特許文献３〜６に示されるようなゴミ箱としての単一の機能しかないものが殆どであった。また、単一機能でないものが特許文献７に開示されてはいるが、これは単にゴミ収容スペースの上に補充商品の保管スペースを設けたものにすぎなかった。
【特許文献１】特開２００５−２７８８８１号公報
【特許文献２】特開平８−２４４３９０号公報
【特許文献３】特開２００４−１８１６９号公報
【特許文献４】特開２００５−３４６２０１号公報
【特許文献５】特開２００６−１１６０９号公報
【特許文献６】特開２０００−２６８２５１号公報
【特許文献７】登録実用新案第３０００３４２号公報
【発明の開示】
【発明が解決しようとする課題】
【０００５】
本発明は上記従来の問題を解決せんとして発明したものであって、広告用チラシ、パンフレット、フリ−ペーパー、冊子等の陳列物の陳列用だけではなく、ゴミ箱としても利用することができ、スペースの有効活用が図れると共に、強風時や物がぶつかった時にも簡単に倒れず安定性の良い陳列用ラック装置を提供することを課題とするものである。
【課題を解決するための手段】
【０００６】
請求項１記載の発明は、陳列物を収容する上下複数段の収容部が設けられた陳列用ラック本体の下部にボックスを設け、そのボックスにゴミ投入口を設けることによりそのボックス内部をゴミ収容スペースとして成ることを特徴とする陳列用ラック装置である。
【０００７】
請求項２記載の発明は、前記陳列用ラック本体の上部には屋根状体が設けられていることを特徴とする請求項１記載の陳列用ラック装置である。
【０００８】
請求項３記載の発明は、前記屋根状体の上面は背面側に向け下向き傾斜していることを特徴とする請求項２記載の陳列用ラック装置である。
【０００９】
請求項４記載の発明は、前記屋根状体はシートで形成されており、着脱できるよう構成されていることを特徴とする請求項２または３記載の陳列用ラック装置である。
【００１０】
請求項５記載の発明は、前記陳列用ラック本体の両側面は遮蔽板で被覆されていることを特徴とする請求項２乃至４のいずれかに記載の陳列用ラック装置である。
【００１１】
請求項６記載の発明は、前記遮蔽板のうち、少なくとも一方の遮蔽板の、少なくとも一部は透明であることを特徴とする請求項５記載の陳列用ラック装置である。
【００１２】
請求項７記載の発明は、前記陳列用ラック本体の収容部には、左右に対になった位置決め材が左右にスライド自在に設けられていることを特徴とする請求項１乃至６のいずれかに記載の陳列用ラック装置である。
【００１３】
請求項８記載の発明は、前記陳列用ラック本体の両側面には、係止具が取り付けられていることを特徴とする請求項１乃至７のいずれかに記載の陳列用ラック装置である。
【００１４】
請求項９記載の発明は、前記ボックスは上面が開口した箱体であって、その内側面上部にゴミ袋係止部が設けられていると共に、前記箱体は正面側に向けスライド自在に構成されていることを特徴とする請求項１乃至８のいずれかに記載の陳列用ラック装置である。
【００１５】
請求項１０記載の発明は、自動販売機の近傍に設置されていることを特徴とする請求項１乃至９のいずれかに記載の陳列用ラック装置である。
【発明の効果】
【００１６】
本発明の請求項１記載の陳列用ラック装置によると、広告用チラシ、パンフレット、フリ−ペーパー、冊子等の陳列物の陳列用だけではなく、ゴミ箱としても利用することができ、スペースの有効活用を図ることができる。また、強風時や物がぶつかった時にも、ラックに比べて重量のあるボックス自体の重さや、収容された空き缶等のゴミの重さや、更にはゴミ箱が収容されている場合にはゴミ箱の重さにより、簡単に倒れず安定性が向上する。
【００１７】
本発明の請求項２記載の陳列用ラック装置によると、陳列用ラック本体の上部に屋根状体が設けられているため、屋外に設置した場合、陳列した広告用チラシ、パンフレット、フリ−ペーパー、冊子等の陳列物に雨が降りかかることを防止でき、且つ日光による陳列物の日焼けも防止することができる。
【００１８】
本発明の請求項３記載の陳列用ラック装置によると、屋根状体が背面側に向け下向き傾斜しているため、上面に降りかかった雨水を背面側に流すことができ、陳列した広告用チラシ、パンフレット、フリ−ペーパー、冊子等の陳列物が雨で濡れるのを防止することがより確実にできる。
【００１９】
本発明の請求項４記載の陳列用ラック装置によると、屋根状体が着脱できるので、屋外での使用時には屋根状体を取り付け、屋内での使用時には不要な屋根状体を取り外すという使い分けができる。また、屋根状体の劣化、破損時の交換も容易にできる。
【００２０】
本発明の請求項５記載の陳列用ラック装置によると、陳列用ラック本体の両側面が遮蔽板で被覆されているので、陳列された広告用チラシ、パンフレット、フリ−ペーパー、冊子等の陳列物が強風で飛んでしまうことや、横から降りかかる雨で濡れてしまうことを防止することができる。
【００２１】
本発明の請求項６記載の陳列用ラック装置によると、遮蔽板の少なくとも一部が透明であるため、遮蔽板で雨風の防御ができる一方、陳列された広告用チラシ、パンフレット、フリ−ペーパー、冊子等の陳列物を、真正面からだけではなく、通行時に斜めからでも視認することができ、通行者がそれら陳列物を持ち帰る可能性が高くなるという効果がある。
【００２２】
本発明の請求項７記載の陳列用ラック装置によると、左右の対になった位置決め材で収容部に収容された広告用チラシ、パンフレット、フリ−ペーパー、冊子等の陳列物を挟むことで、陳列物の整理整頓を確実且つ簡単に行うことができ、更には、陳列物の強風による飛散をも防止することができる。
【００２３】
本発明の請求項８記載の陳列用ラック装置によると、係止具を利用して小さなラック等様々な被係止物を係止することができ、特にその被係止物が小さなラックである場合、頻繁に取り出される陳列物や小さな葉書等をそのラックに入れることでより有効に活用することができる。
【００２４】
本発明の請求項９記載の陳列用ラック装置によると、ボックスを簡単に引き出すことができるため、内部に投入されたゴミの取り出しが容易にできる。また、内部にゴミ袋用の係止部が設けられているため、改めてボックス内部に大きなゴミ箱を入れる必要がない。
【００２５】
本発明の請求項１０記載の陳列用ラック装置によると、自動販売機で買った商品から発生するゴミをその購入者が捨てる際に、陳列された広告用チラシ、パンフレット、フリ−ペーパー、冊子等の陳列物に気付き持ち帰る可能性が高くなるという効果がある。また、その商品がジュース、コーヒー等の飲料水である場合、その場で立ち止まって飲料物を飲み、不要となった空き缶、ペットボトル等を捨てる人が多く、比較的滞在時間が長くなるため陳列物を持ち帰る可能性がより高くなる。
【発明を実施するための最良の形態】
【００２６】
以下、本発明を添付図面に示す実施形態に基づいて更に詳細に説明する。
【００２７】
図１（ａ）〜（ｃ）に示すように、本発明の陳列用ラック装置Ａは、例えば、広告用チラシ、パンフレット、フリ−ペーパー、冊子等の陳列物Ｃ（図３に示す）を収容する上下複数段の収容部２が設けられた陳列用ラック本体１と、その陳列用ラック本体１の下部に設けられた直方体の中空のボックス３より構成されている。そのボックス３の正面上部にはゴミ投入口４が設けられており、そのボックス３の内部がゴミ収容スペース５となっている。また、この陳列用ラック本体１とボックス３は、金属製角パイプ等で成る枠材を上下に長い略直方体状に組み合わせた枠組１２を構造体として上下一体に形成されている。
【００２８】
枠組１２は、四隅の柱材１２ａとそれら四隅の柱材１２ａの上下部及び中間部を夫々つなぐ梁材１２ｂ（中間部の梁材１２ｂはなくても良い。）で形成された略直方体状の枠組本体と、四隅の柱材１２ａのうち背の高い背面側二本の柱材１２ａの上端部から片持ち梁式で正面側にやや上方に傾いて延びる屋根枠組１２ｃと、前後の柱材１２ａの上部間に背面側が高くなるよう斜めに架け渡された左右一対の支持枠１２ｄとより構成されている。屋根枠組１２ｃは、矩形やコ字形或いはその間に中桟が入った形状であり、正面側二本の柱材１２ａより更に正面側に延びている。なお、柱材１２ａと梁材１２ｂで成る枠組１２の本体にも中桟が入っていても良く、また、柱材１２ａ、梁材１２ｂ等の各部材の接合は、溶接、ビス止め等どのような接合手段でなされていても良い。
【００２９】
陳列用ラック本体１は、枠組１２の上半部と、前記中間部の梁材１２ｂ等で支持された水平な金属板製の仕切板１３の上面に載置されたワイヤラック１４と、前記屋根枠組１２ｃで支持された上面の屋根状体６と、両側面の遮蔽板７と、背面の背面板１５より構成されている。
【００３０】
ワイヤラック１４は、塗装された針金が縦横に折り曲げられたり、組み合わされたりして形成されたもので、上方に開口する複数のポケット状の収容部２が、後方になるほど高位置になるように階段状に配置されて構成されている。更に詳しく述べると、例えば図７（ａ）、（ｂ）に示すように（図７は異なる実施形態の図面であるが、ワイヤラック１４については本実施形態も略同じ。）、ワイヤラック１４は、側面Ｌ字形の針金で構成された収容部ユニット１４ａが階段状に組み合わされて形成されている。一つの収容部ユニット１４ａは、門形の背部線材１４ｂとその背部線材１４ｂの両下端より正面側へ直角に折れ曲がる底部線材１４ｃとより成る両側に間隔を開けて配置された左右一対の受け材１４ｄと、それら両側の受け材１４ｄの背部線材１４ｂを串刺し状につなぐ上下複数本の水平線材１４ｅとより形成されている。
【００３１】
このワイヤラック１４が、前記した水平な仕切板１３の上面に載置されている。そのワイヤラック１４の両側部は、ワイヤラック１４の傾斜と同傾斜で枠組１２に斜めに架け渡された左右一対の前記支持枠１２ｄに溶接等で固定されている。また、そのワイヤラック１４の上下部も夫々枠組１２に溶接等で固定されている。
【００３２】
また、最上段の収容部２背面の水平線材１４ｅと、最下段の収容部２正面の水平線材１４ｅの間には、左右一対の長尺の位置決め材８が、夫々その上下端を各水平線材１４ｅに係止することにより斜めに架設されている。この位置決め材８は、図２に示すように、上下端の下向き溝形の係止部８ａとそれら上下端の係止部８ａをつなぐ針金で成る軸部８ｂより形成されている。位置決め材８は、水平線材１４ｅの門形の背部線材１４ｂで囲まれた部位に、その上下端の係止部８ａを係止することにより架設されるが、その架設された左右一対の位置決め材８で挟まれた部位の収容部２内に、広告用チラシ、パンフレット、フリ−ペーパー、冊子等の陳列物Ｃが入れられる。左右の位置決め材８をお互いに近付くようスライドさせれば、上下の収容部２内に入れられた陳列物Ｃの位置決め、整理整頓を一度に行うことができ、しかも陳列物Ｃが強風で飛散してしまうことも防止できる。
【００３３】
なお、広告用チラシ、パンフレット、フリ−ペーパー、冊子等の陳列物Ｃは一般にはＡ４サイズであるため、一対の位置決め材８があれば、位置決めを行うことができるが、上下段の収容部２に異なるサイズの陳列物Ｃを並べることを考え、位置決め材８を途中で上下複数個に分断して上下の位置決め材８を夫々別個にスライドできるように構成しても良い。また、係止部８ａは、着脱できることを考慮して下向き溝形としたが、円筒形、断面Ｃ字形等他の形状であっても良い。
【００３４】
なお、ワイヤラック１４は、必ずしも、塗装された針金で形成されたものでなくても良く、例えば、針金がビニール皮膜で被覆されたもの、針金と金属管を組み合わせたものや、更には金属板等の板材と組み合わせたものであっても良い。また、陳列用ラック本体１を構成するラック部分は必ずしもワイヤラック１４でなくても良く、例えば、樹脂製や木製等であっても良い。また、形状も格子状ではなく薄板を組み立てたものであっても良い。更には、複数の収容部２が後方になるほど高位置になるように階段状に配置されものでなくても良く、上下複数段の収容部２が設けられているものなら直立したものであっても良い。なお、ラック部分は、陳列用ラック装置Ａの安定性を考慮すればなるべく軽量であることが望ましい。
【００３５】
屋根状体６は、屋根枠組１２ｃに取り付けられるものであって、ナイロン、塩化ビニール、撥水加工を施したポリエステル等の防水性のあるシートで形成されている。その取り付けは、シートで成る屋根状体６を屋根枠組１２ｃの上面から被せ、全周の端部を内側に折り込んで屋根枠組１２ｃに巻き付け、シート端部に予め取り付けられた対になった面ファスナー（図示しない）を貼り合わせることによる。なお、その取り付けは、必ずしも面ファスナーによるものでなくても良く、シートを風で剥がれない程度に確実に取り付けることができ且つ着脱さえできるものであれば、例えばボタンや紐等であっても良い。
【００３６】
このように着脱できるシートで屋根状体６を形成すれば、シートが破れたり、退色したりした時、或いは異なった色や模様のシートに変えたい時等に専門技能を要することなく誰でもが簡単に取り替えることができる。
【００３７】
このシートで形成された屋根状体６の上面には、シートが取り付けられる屋根枠組１２ｃが前記したように傾斜しているため、背面側に向け下向き傾斜した水勾配が設けられる。また、屋根枠組１２ｃに沿って折り込まれたシートの正面側は、真直ぐに垂下せずにやや斜め正面側に傾いて垂下しており水切り面となっている。従って、この傾斜した水切り面に沿って流れ落ちる雨水は、やや正面側に向け跳び落ちるように滴下するので陳列物Ｃに降りかかることを防止できる。なお、この屋根状体６の形状は、前記説明のような背面方向への片流れ形状ではなく、左右両側面側へ傾斜する切妻形状等としても雨水の正面側への流れ落ちを防止することができる。
【００３８】
両側面の遮蔽板７は、夫々上下２枚の板で構成されている。上の板はアクリル製の透明板７ａであり、下の板は金属製の不透明板７ｂである。この透明板７ａと不透明板７ｂは、前記した支持枠１２ｄで仕切られており、支持枠１２ｄに夫々端縁が固定されている。
【００３９】
透明板７ａは、直角三角形や台形のアクリル板であり、支持枠１２ｄに固定した傾斜した下端縁以外の端縁は、枠組１２の柱材１２ａと上部の梁材１２ｂに固定されている。このように遮蔽板７が透明板７ａで形成されていることによって、収容部２に陳列された陳列物Ｃを透明板７ａを透して目視することができる。なお、透明板７ａの形状は、収容部２に陳列された陳列物Ｃを外部から目視することができさえすればどのような形状、大きさであっても構わない。また、遮蔽板７は、少なくとも両側面の遮蔽板７のうちの一方に、前記の説明のような、透明板７ａで形成された透明部があれば良いが、左右両方の遮蔽板７に透明部があれば尚良い。更には、左右一対の遮蔽板７のうち一方の遮蔽板７、或いは両方の遮蔽板７の全面が透明板７ａで形成されていても良い。なお、前記の説明では、透明板７ａがアクリル板である事例を説明したが、強化ガラスやビニールシート等とすることもできる。但し、アクリル板等の合成樹脂板が、軽さや強度を考慮すれば最適である。なお、アクリル板等の合成樹脂板や、強化ガラス、ビニールシートは、以下に記載する他の部位を構成する金属板より軽量であり、陳列用ラック装置Ａの上部が下部に比べて軽くなることにより、陳列用ラック装置Ａの安定性は向上する。
【００４０】
不透明板７ｂは、前記したように傾斜した上端縁が支持枠１２ｄに固定されているが、他の端縁は、枠組１２の柱材１２ａや梁材１２ｂに固定されている。この不透明板７ｂは、後述するボックス３の側板３ｂと連続しており、側板３ｂの上部を形成している。なお、この不透明板７ｂは、本実施形態のように、必ずしも側板３ｂと連続していなくても良く、側板３ｂとは別体のものであっても良い。
【００４１】
背面板１５も不透明板７ｂと同様に金属板で形成されており、枠組１２の柱材１２ａや梁材１２ｂに固定されている。また、後述するボックス３の背板３ｃと連続しており、背板３ｃの上部を形成している。なお、この背面板１５も、本実施形態のように、必ずしも背板３ｃと連続していなくても良く、背板３ｃとは別体のものであっても良い。
【００４２】
陳列用ラック本体１の両側面には、夫々上下２箇所に水平方向に長い係止具９が取り付けられている。係止具９は両端部が同方向に曲がった棒状のものであり、その両端部を前後の柱材１２ａに固定することにより遮蔽板７の外表面から例えば１ｃｍ程度離れた状態で取り付けられており、小さなラック（図示しない）等を吊り下げることができる。なお、その係止具９の形状は、フック状等前記説明と異なる形状であっても構わない。
【００４３】
ボックス３は、直方体の中空箱状のものであり、その正面上部の金属板製の帯板３ａにはゴミ投入口４が設けられており、そのボックス３の内部が、ゴミ箱Ｄが入れられたゴミ収容スペース５となっている。また、ゴミ投入口４の下方には金属板製の開閉扉１６が設けられており、その開閉扉１６を開閉することでゴミ収容スペース５に入れられたゴミ箱Ｄの出し入れができる。このゴミ投入口４の上部には「無料、ご自由にお取り下さい。」と記載した文字や広告宣伝文等を表示するスペースを設けることができる。なお、ゴミ投入口４は、帯板３ａ以外に側板３ｂ等に設けることも可能である。１７は、開閉扉１６に設けられたリング状の取っ手であり、支持軸によって吊り革のように揺動自在に吊り下げられている。この取っ手１７も、開閉扉１６を開閉できるならどのような形状であっても良い。なお、図面に示す開閉扉１６は片開きであるが、両開きやスライドする戸のようなもの等様々なものに代えることができる。また、ゴミ投入口４と同様に側面等に設けることもできる。
【００４４】
ボックス３の背板３ｃは、枠組１２の柱材１２ａや梁材１２ｂに固定された金属板で形成されており、陳列用ラック本体１の背面板１５と連続して一体となっていることが望ましいが、別体であっても構わない。また、両側の側板３ｂも、枠組１２の柱材１２ａや梁材１２ｂに固定された金属板で形成されており、陳列用ラック本体１の不透明板７ｂと連続して一体となっていることが望ましいが、別体であっても構わない。また、このボックス３の底面は、枠組１２の下部の梁材１２ｂに固定された金属板で形成された底板３ｄが設けられている。なお、この底板３ｄは、通常は他の部位の金属板より肉厚であって重量が重いため、陳列用ラック装置Ａの安定性が向上する。
【００４５】
四隅の柱材１２ａの底部には、上下調整自在な脚部材１８が固定されており、設置される路面等に多少の凹凸があっても設置することができる。なお、この脚部材１８がスットパー付きのキャスターであればストッパーを解除すれば移動も自在に行うことができる。
【００４６】
なお、前記の説明では、不透明板７ｂ、背面板１５、帯板３ａ、側板３ｂ、背板３ｃ、底板３ｄ、仕切板１３、開閉扉１６は金属板で形成されていると説明したが、それらは必ずしも金属製でなくても良く、合成樹脂製、木製等他の材質の板で形成されていても構わない。また、枠組１２も必ずしも金属製でなくても良く、構造強度さえ確保できれば木製等であっても構わない。
【００４７】
次に、この陳列用ラック装置Ａの設置状態について説明する。図３に示すように、本発明の陳列用ラック装置Ａは、自動販売機Ｂの横のスペースや、その他自動販売機Ｂの近傍に配置することにより設置される。陳列用ラック装置Ａをこのような位置に設置することにより、自動販売機Ｂで買った商品から発生する空き缶等のゴミを、陳列用ラック装置Ａのゴミ投入口４から捨てることが多くなる。特にその商品がジュース、コーヒー等の飲料水である場合、その場で立ち止まって飲料物を飲み、不要となった空き缶、ペットボトル等をゴミ投入口４から捨てる人が多くなる。このような場合、陳列用ラック装置Ａ前での滞在時間が長くなるため、その間に陳列物Ｃを手に取る確率が高くなり、更には持ち帰る可能性も高くなる。
【００４８】
また、この陳列用ラック装置Ａが、自動販売機Ｂと略同じ高さ、奥行きで、且つ略同じ配色である場合、自動販売機Ｂの真横に設置すれば、外見上整った全く違和感のない収まりとなる。なお、図３には、収容部２に入れられた陳列物Ｃを図示しており、ワイヤラック１４で形成された収容部２については図示を省略している。
【００４９】
次に、前記実施形態とは異なるタイプの陳列用ラック装置Ａについて説明する。図４、図５（ａ）〜（ｃ）、図６に示すように、この陳列用ラック装置Ａは、前記実施形態とは、屋根状体６、枠組１２、ワイヤラック１４、位置決め材８、ボックス３、底板３ｄ等の構成が異なり、その他の構成は略同一であるので、屋根状体６、枠組１２、ワイヤラック１４、位置決め材８、ボックス３、底板３ｄ以外の詳細説明を省略する。
【００５０】
この実施形態では、枠組１２の上面に固定された屋根状体６は、シートではなく不透明板７ｂや背面板１５等の他の表面板と同じ金属板を組んで形成されており、必要に応じて内部に骨組が設けられている。この枠組１２には、前記実施形態のような屋根枠組１２ｃは特に設けられておらず、四隅の柱材１２ａの長さも全て同じ長さである。また、枠組１２の上部は、背面側の柱材１２ａの上端をつなぐ梁材１２ｂと、前後の柱材１２ａの上端をつなぐ梁材１２ｂでコ字形に組まれており、梁材１２ｂの正面側両端部は正面側の柱材１２ａより更に正面側に突出している。従って、その上面に固定された屋根状体６は、庇状になっている。なお、この実施形態においても、屋根状体６の上面は背面側に向け下向き傾斜している。
【００５１】
また、ワイヤラック１４は、前記実施形態では直立しているのに対し、この実施形態では背面側に向かって傾いている。このような傾きを設けることにより収容部２に入れられる陳列物Ｃが前後に反ることを防止できる。
【００５２】
また、図７（ａ）、（ｂ）に示すように、この実施形態での位置決め材８は、一段毎の収容部２に夫々設けられる左右対になったものである。この位置決め材８は、前後に隣り合う収容部ユニット１４ａの水平線材１４ｅ間に架設されており、図８（ａ）、（ｂ）に示すように、両端の下向き溝形の係止部８ａと、それら両端の係止部８ａをつなぐ針金で成る軸部８ｂと、少なくとも一方の係止部８ａに設けられた係止ネジ８ｃより形成されている。係止ネジ８ｃが設けられていることにより位置決め材８の係止固定をより確実に行うことができる。また、係止ネジ８ｃを緩めることにより左右にスライドさせることもできる。このように、位置決め材８を収容部２毎に設ければ、収容部２毎に異なるサイズの陳列物Ｃを並べた場合でも個々に対応することができる。
【００５３】
また、この実施形態では、ボックス３は、上面が開口した箱体１０である。その横幅は、左右に隣り合う柱材１２ａの間隔と略同寸法であり、奥行きは、陳列用ラック本体１の奥行きより柱材１２ａの厚み略一本分だけ短い寸法である。箱体１０の内側面上部にはゴミ袋係止部１１が設けられており、このゴミ袋係止部１１にゴミ袋の開口部の縁が係止されることによりゴミ袋を直接箱体１０内に取り付けることができ、ゴミ箱を別途用意する必要がなくなる。また、箱体１０は、常時は底板３ｄ上に載せられた状態であり、外見上はあたかも陳列用ラック本体１と一体のように収まっているが、引き出しのように正面側にスライドできるよう構成されている。
【００５４】
図９及び図１０（ａ）、（ｂ）に示すように、箱体１０の内側面上部に設けられたゴミ袋係止部１１は、箱体１０の内側面上部全周に沿って配置されるゴムバンド１１ａと、そのゴムバンド１１ａを箱体１０の四隅に係止する鉤部材１１ｂと、その鉤部材１１ｂの近傍に吊り下げられた挟着材１１ｃより構成される。ゴムバンド１１ａは、伸縮性があるリング状のものである。鉤部材１１ｂは、箱体１０の内側面上部の四隅に固定されたもので、上向きに折れ曲がった鉤状の金属片で形成されており、前記ゴムバンド１１ａが係止される。挟着材１１ｃは、前記鉤部材１１ｂと同様に箱体１０の内側面上部の四隅に取り付けられたもので、箱体１０の内側面上部より吊り下がったチェーンとそのチェーンの下端にぶら下げられたダブルクリップより成る。
【００５５】
このゴミ袋係止部１１にゴミ袋の開口部の縁が係止されるのであるが、その係止は、ゴミ袋の開口部の縁を折り返してゴムバンド１１ａに引っ掛けると共に、挟着材１１ｃのダブルクリップでゴミ袋の開口部の縁をゴムバンド１１ａと共に挟着することによる。このようにしてゴミ袋を係止すれば、ゴミ袋の開口部の縁に孔を開けることなくゴミ袋を吊り下げることができる。なお、このゴミ袋係止部１１は必ずしも前記のような構成でなくても良く、単にフック状のもの、磁石により箱体１０の内側面上部にゴミ袋の開口部の縁を取り付けるもの等簡単な構成のもの、或いは複雑な構成のものであっても良い。
【００５６】
前記の説明のように、箱体１０は、引き出しのように正面側にスライド自在に構成されているのであるが、その詳細構成は以下の通りである。図６及び図９に示すように、箱体１０の底面の四隅近傍には４個の車輪１９が設けられている。これに対し、箱体１０が載せられる底板３ｄの上面には、図４に示すように、前後方向に２本の凹状のレール２０が設けられている。この箱体１０の車輪１９がレール２０に載せられることにより、箱体１０の取っ手１７を引けば、箱体１０はレール２０上をスライドし引き出すことができる。なお、この実施形態で示す底板３ｄは上面にレール２０が設けられるため、不透明板７ｂ、背面板１５等より分厚い金属板で形成されている。
【００５７】
また、箱体１０の背面の両側縁の上下４箇所には、両側に突出した状態でストッパー２１が設けられている。このストッパー２１は、図１１（ａ）、（ｂ）に示すように、矩形の薄い金属片より成り、金属片に設けられた長孔を介して箱体１０の背面にボルト止めすることにより取り付けられている。このようにストッパー２１を設けたことにより、箱体１０を前後にスライドさせた際に、前後の終端部でストッパー２１が前後の柱材１２ａに当たるため、箱体１０が、図４に示すように、陳列用ラック装置Ａから外れてしまうことはなくなる。なお、ボルトを緩め長孔を利用してストッパー２１をスライドさせ箱体１０の背面に収めれば、図４に示すように、陳列用ラック装置Ａから箱体１０を取り外すことができる。
【００５８】
このボックス３は、常時は底板３ｄ上に載せられた状態であり、外見上はあたかも陳列用ラック本体１と一体のように収まる。ボックス３のゴミ収容スペース５内のゴミ袋が空き缶等のゴミで一杯になった時、ボックス３の正面に設けられた取っ手１７に手を掛けボックス３をスライドさせて引き出す。引き出されたボックス３から空き缶等のゴミで一杯になったそれまでのゴミ袋を取り出し、新しいゴミ袋の開口部の縁をゴミ袋係止部１１に係止した後、ボックス３をスライドさせて元の位置に戻せば新しいゴミ袋のセットは完了する。
【図面の簡単な説明】
【００５９】
【図１】本発明の一実施形態を示すもので、（ａ）は正面図、（ｂ）は開閉扉を開けた状態の側面図、（ｃ）は（ａ）のａ−ａ線断面図であって開閉扉を開けた状態を示す。
【図２】同実施形態の位置決め材を示すもので、軸部の中間を省略した斜視図である。
【図３】本発明の陳列用ラック装置を自動販売機の横に設置した状態を示す正面図である。
【図４】本発明の異なる実施形態を示すもので、ボックスを取り出した状態を示す一部を欠切した斜視図である。
【図５】同実施形態を示すもので、（ａ）は正面図、（ｂ）は側面図、（ｃ）は背面図である。
【図６】図５（ａ）のａ−ａ線断面図である。
【図７】同実施形態のワイヤラックを示すもので、（ａ）は一つの収容部ユニットのみを抽出した正面図、（ｂ）は一つの収容部のみを抽出した側面図である。
【図８】同実施形態の位置決め材を示すもので、（ａ）は平面図、（ｂ）は水平線材に係止した状態の要部側面図である。
【図９】同実施形態を示すもので、図５（ａ）のｂ−ｂ線断面図である。
【図１０】同実施形態のゴミ袋係止部を示すもので、（ａ）は要部拡大横断面図、（ｂ）は要部拡大縦断面図である。
【図１１】同実施形態の箱体の背面にストッパーを取り付けた状態を示すもので、（ａ）は要部拡大背面図、（ｂ）は要部拡大縦断面図である。
【符号の説明】
【００６０】
Ａ…陳列用ラック装置
Ｂ…自動販売機
Ｃ…陳列物
１…陳列用ラック本体
２…収容部
３…ボックス
４…ゴミ投入口
５…ゴミ収容スペース
６…屋根状体
７…遮蔽板
８…位置決め材
９…係止具
１０…箱体
１１…ゴミ袋係止部
【図１】
2008104504.tif 000003
【図２】
2008104504.tif 000004
【図３】
2008104504.tif 000005
【図４】
2008104504.tif 000006
【図５】
2008104504.tif 000007
【図６】
2008104504.tif 000008
【図７】
2008104504.tif 000009
【図８】
2008104504.tif 000010
【図９】
2008104504.tif 000011
【図１０】
2008104504.tif 000012
【図１１】
2008104504.tif 000013